(57)【要約】【課題】  撮影の効率を低下させることなく、動画像撮影、静止画像撮影、静止画像の連続撮影を、簡単な操作で行え、さらに編集の手間をかけずに、効率的に患者説明、診断の行える眼科撮影装置を提供する。【解決手段】  固定ステージ４０上の稼動ステージ４１及びそれに搭載された装置本体４２を操作するジョイスティック４３に、二段スイッチ２３を設け、一段目が押されると動画記録を行い、二段目が押されると撮影用光源１２を点灯し、静止画記録を行う。【選択図】  図１
2005095356.tif 000002
【特許請求の範囲】
【請求項１】
被検眼を観察する観察用光源と
被検眼を撮影する撮影用光源と、
二段スイッチと、
該観察用光源を点灯し被検眼眼底を連続して記録する動画記録手段と、
該動画記録手段の単位時間当たりの記録枚数を設定する動画記録枚数設定手段と、
該撮影用光源を点灯し被検眼画像を記録する静止画撮影手段と、
該二段スイッチの出力結果を基に、該動画記録手段と該静止画記録手段の動作を切り換える記録方法切り換え手段を
有することを特徴とする眼科撮影装置。
【請求項２】
前記記録方法切り換え手段は、前記二段スイッチの一段目の操作で前記動画記録手段を動作し、
前記二段スイッチの二段目の操作で静止画記録手段を動作する
ことを特徴とする特許請求項１に記載の眼科撮影装置。
【請求項３】
前記動画記録手段が動作していない場合には、前記記録方法切り換え手段は、前記二段スイッチの一段目又は二段目の操作で、前記静止画記録を行う
ことを特徴とする特許請求項１に記載の眼科撮影装置。
【請求項４】
前記動画記録手段の記録時間を設定する動画記録時間設定手段と、
前記記録方法切り換え手段は、前記二段スイッチの一段目で、該動画記録時間設定手段の出力結果に応じた時間、前記動画記録手段を動作し、前記動画記録手段の動作中に、再度前記二段スイッチの一段目の操作で前記動画記録手段の動作を停止する
ことを特徴とする特許請求項１に記載の眼科撮影装置。
【請求項５】
前記静止画記録手段の記録間隔を設定する静止画記録間隔設定手段を有し、
前記記録方法切り換え手段は、前記二段スイッチの一段目が操作されている間、前記動画記録手段を動作し、前記二段スイッチの二段目が操作されている間、前記静止画記録間隔設定手段で設定された時間間隔で、前記静止画記録手段を動作する
ことを特徴とする特許請求項１に記載の眼科撮影装置。
【請求項６】
被検眼眼底に投影される合焦指標と、
被検眼の角膜に投影される位置合わせ指標を有し、
前記二段スイッチの一段目の操作から、前記動画記録手段の動作が終了するまでの間、該合焦指標、または該位置合わせ指標を消灯する
ことを特徴とする特許請求項１に記載の眼科撮影装置。
【発明の詳細な説明】
【技術分野】
【０００１】
本発明は、眼科医院等において用いられる眼科撮影装置に関するものである。
【背景技術】
【０００２】
従来、蛍光画像の、電子画記録は、ＶＴＲを使った動画記録、又はＰＣメモリーへの静止画記録等が行われている。この時、動画は、動画専用のＴＶカメラからの出力を撮影の最初から最後まで取り続け、静止画は、撮影スイッチへの入力にあわせて、ストロボを発光させるかＴＶカメラの感度を切り換えて静止画を記録していた。
【０００３】
電子スチルカメラ、３５ｍｍカメラ、インスタントカメラが選択されている場合には、撮影スイッチが押される毎に静止画撮影が行われ、ＶＴＲが選択されている場合には、撮影スイッチが押される毎に動画記録の開始と停止を交互に行う装置が、特開平２−２１１１２０に提案されている。
【０００４】
また、フィルムに眼底像を記録する場合には、撮影スイッチが押されると、撮影用光源を発光させ眼底像を記録する。また赤外蛍光撮影時等の動画撮影時には、撮影スイッチが押されると、ビデオプリンタに印刷命令に信号を出力する装置が、特開平９−２０６２８１に提案されている。
【０００５】
撮影記録媒体の選択、記録方法選択スイッチに応じて、撮影スイッチを押した場合の動作を切り換える装置が、提案されている。
【０００６】
さらに、２段以上の撮影スイッチを設け、撮影スイッチの任意の段位置で、入力のオン・オフスイッチが一定時間内に複数操作されることによって、撮影光源の照射及び画像記録以外の動作を操作できるようにする装置が、特開平７−６７８３４に提案されている。
【発明の開示】
【発明が解決しようとする課題】
【０００７】
蛍光撮影においては、動的に蛍光の流れを連続的に観察できる動画記録、及び、静的に精査可能な静止画の双方が重要であり、それぞれの画像を用いて患者に説明する意義は大きい。しかし、上記従来例においては、動画については、撮影開始時に記録を開始し、撮影の間は記録し続けていたため、撮影後に、患者説明、診断に必要な部分を編集する作業が煩雑であった。また、動画の記録手段、例えば、ＶＴＲレコーダーのスイッチをオン、オフする方法もあるが、撮影中、ジョイスティックから、手を放して操作することは、アライメントが不安定になり、撮影の効率が悪くなる。
【０００８】
特開平９−２０６２８１では、撮影モードに応じて静止画記録する媒体を変更しているだけで、撮影スイッチの操作では、静止画記録を行い、動画記録の開始／停止の制御を行う記載はない。
【０００９】
また、特開平２−２１１１２０では、撮影スイッチの操作は、撮影モードに応じて、静止画記録の実行と動画記録の開始／停止の機能を切り換えているだけで、同一撮影モードでの動画記録の開始／停止、静止画記録の実行を１つのジョイスティック内の二段スイッチで切り換え、静止画する記載はない。
【課題を解決するための手段】
【００１０】
本発明の目的は、上述の課題を解決し、撮影の効率を低下させることなく、動画像撮影、静止画像撮影、静止画像の連続撮影を、簡単な操作で行え、さらに編集の手間をかけずに、効率的に患者説明、診断の行える眼科撮影装置を提供することにある。
【発明の効果】
【００１１】
以上説明したように、二段スイッチを用い、一段目の操作で動画記録の開始／停止を制御し、二段目の操作で静止画記録を実行することにより、動画記録、静止画記録、さらには、静止画の連続記録という、複雑な撮影条件での撮影の間違いをなくし、確実な撮影が行えるので、撮影の効率を向上することができる。
【発明を実施するための最良の形態】
【００１２】
本発明を図示の実施の形態に基づいて詳細に説明する。図１は本実施の形態における眼底カメラの構成図を示しており、被検眼Ｅの前方に対物レンズ１を配置し、対物レンズ１の後方に撮影系として孔あきミラー２、孔あきミラー２の孔内に配置した撮影絞り３、フォーカスレンズ４、撮影レンズ５、光路内に挿脱自在の赤外励起光を遮断し蛍光を透過する赤外蛍光バリアフィルタ６、撮像素子７から成る撮影機構を順次に配列する。
【００１３】
また、孔あきミラー２の入射方向の眼底照明系には、孔あきミラー２側からリレーレンズ９、光路に挿脱自在の可視光を遮断し赤外励起光を透過する赤外蛍光エキサイタフィルタ（ＩＣＧ−Ｅｘ）１０、リング状の開口を有する絞り１１、ストロボから成る撮影光源１２、コンデンサレンズ１３、定常光を発するハロゲンランプ等から成る観察光源１４を配列する。
【００１４】
撮像素子７の出力はテレビカメラ制御回路１６を介して画像メモリ１７ａを有する画像制御回路１７に接続する。テレビカメラ制御回路１６内には、撮像素子７からの映像信号を入力し、増幅する増幅回路１６ａ、制御回路１９からの制御信号を基に増幅回路１６ａの増幅率を制御する増幅率制御部１６ｂ、増幅回路１６ａからの出力を、デジタルデータに変換するＡ／Ｄコンバータ１６ｃが構成されている。
【００１５】
また、画像制御回路１７には制御回路１９、静止画表示用モニタ２０、動画表示用モニタ２１、画像記録デバイス２２、ハードディスク３２が接続され、画像記録デバイス２２はＭＯ、ＭＤ、ＣＤ−Ｒ／ＲＷ、ＤＶＤ−ＲＡＭ、ＤＶＤ−Ｒ／ＲＷ、ＤＶＤ＋ＲＷ、ＶＴＲテープ、カードメモリ、ハードディスク等の不揮発性の記録媒体Ｄへの書き込み又は読み出しを行うドライブ装置である。
【００１６】
制御回路１９には、二段階のスイッチ入力を検知できる撮影二段スイッチ２３、スイッチモード切り換えスイッチ２４ａ，２４ｂ，２４ｃを有するモード選択スイッチ２４、フィルタの挿脱を指示するスイッチ２６を接続する。
【００１７】
図２は、本実施例において、眼底カメラに構成される撮影二段スイッチ２３の位置を表す図であり、固定ステージ４０上の稼動ステージ４１及びそれに搭載された装置本体４２を操作するジョイスティック４３に、撮影二段スイッチ２３が設けられている。
【００１８】
制御回路１９の出力は赤外蛍光バリアフィルタ６の操作端、赤外蛍光エキサイタフィルタ１０の操作端、観察光源１４、ストロボ発光制御回路２５を介して撮影光源１２を接続し、更に制御線１８を介して増幅率制御部１６ｂに接続する。また、制御回路１９内にメモリ１９ａ、スポーツ発光制御回路２５内には撮影光源１２の発光のための電荷を蓄積するコンデンサ２５ａをそれぞれ設ける。
【００１９】
ハーフミラー２７、レンズ２８、指標２９、光源３０ａ，３０ｂは、フォーカス指標投影系を構成し、指標２９は、常に被検眼の眼底にピントが合うように前記フォーカスレンズ４と連動して駆動する。
【実施例１】
【００２０】
以下、図３に示す制御回路１９の動作を表すフローチャートを用いて説明する。
【００２１】
また、本実施例の動作を示すタイミングチャートを図６に示す。
【００２２】
撮影者は被検眼を眼底カメラの正面に着座させ、赤外光を用いて、被検眼Ｅの眼底Ｅｒを動画像観察しながら、被検眼Ｅと眼底カメラとの位置合わせを行った後に、さらに赤外蛍光撮影を行うため、スイッチ２４ａを操作する。
【００２３】
ステップＳ１で、モードスイッチ２４ａからの入力を検知した制御回路１９は、赤外蛍光撮影モード、第一の動作モードへ遷移する。撮影者は、赤外蛍光エキサイタフィルタ１０を光路へ挿入するため、フィルタースイッチ２６ａを操作する。ステップＳ２でフィルタースイッチ２６ａからの入力を検知した制御回路１９は、赤外蛍光エキサイタフィルタ１０を光路へ挿入する。
【００２４】
さらに、制御回路１９は、ステップＳ３で増幅回路１６ａの増幅率を固定に設定する制御コマンド、メモリ１９ａに記憶されている赤外観察用の増幅率の値を増幅率制御部１６ｂへ送信する。増幅率制御部１６ｂは増幅回路１６ａの増幅率を赤外観察用の固定値に設定し、制御回路１９は、観察光源１４を点灯する。
【００２５】
ステップＳ４で、不図示の入力手段で入力された、動画記録の時間を設定する。
【００２６】
観察光源１４を発した光はコンデンサレンズ１３により集光され、撮影光源１２、絞り１１のリング状開口を通過し、赤外蛍光エキサイタフィルタ１０により励起光のみ選択され、ハーフミラー２７を透過し、レンズ９を通過し、孔あきミラー２の周辺のミラー部により左方に反射され、対物レンズ１、被検眼Ｅの瞳孔Ｅｐを通して眼底Ｅｒを照明する。
【００２７】
このように照明された眼底Ｅｒの赤外像は、対物レンズ１、撮影絞り３、フォーカスレンズ４、撮影レンズ５を通過し、撮像素子７により電気信号に変換される。この電気信号はテレビカメラ制御回路１６、赤外観察用の固定ゲインに設定された増幅回路１６ａに入力され、Ａ／Ｄコンバータ１６ｃでデジタルデータに変換され、画像制御回路１７へ入力される。画像制御回路１７では、ＶＧＡ相当の小さな画像サイズの画像データに変換されて動画表示用モニタ２１に表示される。動画表示用モニタ２１には、静止画像が、１秒間に３０枚程度の速さで次々と連続的に表示されるため、撮影者にはあたかも動画像を観察しているように見える。
【００２８】
また、前記フォーカス指標を照明する光源３０ａ，３０ｂを出た光束は、指標２９を照明し、指標２９の像は、レンズ２８を通りハーフミラー２７により上方に反射されレンズ９を通り孔あきミラー２の周辺部により左方に反射され対物レンズ１を通り、被検眼瞳孔Ｅｐより眼底にＥｒに投影される。この像は、前記眼底像と同様に、対物レンズ１、撮影絞り３、フォーカスレンズ４、レンズ５を通り撮像素子７により電気信号に変換され、前記眼底像と共にモニタ２１に表示される。撮影者は、このモニタに映った、２つのフォーカス指標像が一致するように不図示の操作部材を用いて、フォーカスレンズの位置を調整しピント合わせを行う。
【００２９】
撮影者はモニタ２１に表示された眼底像を観察し、撮影準備が整ったことを確認した後に、ステップＳ５に示すように蛍光剤を、被検者に注射する。それと共に、不図示の既知のタイマーをスタートし、フィルタースイッチ２４ｂを操作する。フィルタースイッチ２４ｂへの入力を検知した制御手段１９は、ステップＳ６でバリアフィルタ６を光路に挿入するとともに、ステップＳ７で増幅回路１６ａのゲインをＡＧＣモードに設定する。蛍光剤が、眼底に達すると、動画表示用モニタ２１には、蛍光眼底像が映しだされる。
【００３０】
まず、蛍光剤の流れを動画記録する場合には、撮影者は、撮影二段スイッチ２３の一段目を押す。制御回路１９は、ステップＳ８で撮影二段スイッチ２３が押されたことを検出すると、ステップＳ９へ進み、現在動画記録中かどうかを判断する。
【００３１】
はじめに、動画記録中でない場合を説明する。ステップＳ９で、動画記録中でないと判断された場合には、ステップＳ１０で撮影二段スイッチの二段目が押されたかどうかを検出し、押されたと判断した場合には、ステップＳ１１へ進み、増幅部１６ａの増幅率を静止画撮影用の固定値に設定する。さらにステップＳ１２へ進み、撮影用光源１２を発光させる指示をストロボ発光制御回路２５へ出力し、フォーカス指標光源３０ａ，３０ｂを消灯し、撮影手段７の蓄積開始と同期を取って静止画記録を行う。
【００３２】
静止画記録では、撮影用光源１２を発した光束は、観察光源１４を発した光束とともに絞り１１のリング状開口を通過し、エキサイタフィルタ１０により蛍光励起光のみ選択され、リレーレンズ９を通過し、孔あきミラー２により左方に反射され、対物レンズ１を介して瞳孔Ｅｐより眼底Ｅｒを照明する。このように照明された蛍光眼底像は、前記と同様撮像素子７により撮像される。
【００３３】
Ａ／Ｄコンバータ１６ｃによりデジタルデータに変換され、画像制御回路１７に入力される。画像制御回路１７では間引きされることなく、画像メモリ１７ａに一旦記録し、画像記録デバイス２２により記録媒体Ｄに記録すると共に静止画表示用モニタ２０に蛍光眼底の静止画像を表示する。
【００３４】
さらに、ステップＳ２３へ進み、撮影二段スイッチ２３の二段目が離されたかどうかを検出する。撮影二段スイッチ２３の二段目が押され続けた場合には、ステップＳ１３へ進まず、動画記録の開始をしないで、所定の時間後にステップＳ１２に戻り、撮影用光源１２を発光させて、所定の時間間隔で静止画像を記録し続ける。
【００３５】
ステップＳ２３で、撮影二段スイッチ２３の二段目が離されたことを検出した場合には、静止画記録は終了で、ステップＳ１３へ進む。
【００３６】
ステップＳ１３では、増幅回路１６ａの増幅率をＡＧＣモードに設定する。撮像手段７、テレビカメラ制御回路１６から出力される映像信号を画像制御回路１７でＶＧＡ程度の大きさに間引き処理を行った画像信号を、ステップＳ１４で、一旦メモリ１７ａに記憶し、逐次ハードディスク３２等の記録媒体へ動画記録を開始する。さらにステップＳ１４では、フォーカス指標光源３０ａ，３０ｂを消灯し、動画記録時間の計時を開始して、ステップＳ２０へ進む。
【００３７】
ステップＳ１０で撮影二段スイッチの二段目が押されていないと判断した場合には、ステップＳ１４へ進みフォーカス指標光源３０ａ，３０ｂを消灯し、動画記録を開始して、ステップＳ２０へ進む。
【００３８】
次に、動画記録中の場合を説明する。ステップＳ９で、動画記録中であると判断された場合には、ステップＳ１５へ進み、ステップＳ１５では、動画記録、および動画記録時間の計時を一旦停止し、フォーカス指標光源３０ａ，３０ｂを点灯する。ステップＳ１６で、撮影二段スイッチの二段目が押されたかどうかを検出し、押されたと判断した場合には、ステップＳ１７へ進み、増幅部１６ａの増幅率を静止画撮影用の固定値に設定する。さらに、ステップＳ１８へ進みステップＳ１３と同様に、撮影用光源１２を発光させる指示をストロボ発光制御回路２５へ出力し、撮像手段７の蓄積開始と同期を取って静止画記録を行う。
【００３９】
さらに、ステップＳ２４へ進み、撮影二段スイッチ２３の二段目が離されたかどうかを検出する。撮影二段スイッチ２３の二段目が押され続けた場合には、ステップＳ１８へ進まず、動画記録の開始をしないで、所定の時間後にステップＳ１７に戻り、撮影用光源１２を発光させて、所定の時間間隔で静止画像を記録し続ける。
【００４０】
ステップＳ２３で、撮影二段スイッチ２３の二段目が離されたことを検出した場合には、静止画記録は終了で、ステップＳ１９へ進み、増幅回路１６ａの増幅率をＡＧＣモードに設定し、ステップＳ２２で再び動画記録を開始し、動画記録時間の計時を開始して、ステップＳ２０へ進む。
【００４１】
ステップＳ１６で撮影二段スイッチの二段目が押されていないと判断した場合には、ステップＳ２０へ進む。
【００４２】
ステップＳ２８で撮影二段スイッチ２３の一二段目が押されていないことを検出した場合にも、ステップＳ２０へ進む。
【００４３】
ステップＳ２０では、動画記録を開始してからステップＳ４で設定した動画記録時間が経過したかどうか判断し、経過した場合には動画記録を終了する。これにより画像制御手段１７は、画像のメモリ１７ａへの記録を終了し、この一連の画像をＭＰＥＧ等の圧縮処理を行い、一つの画像ファイルを作成して記録手段２２により記録媒体Ｄ、ハードディスク３２に記録される。
【００４４】
ステップＳ２０で、動画記録を開始してからステップＳ４で設定した動画記録時間が経過していないと判断した場合には、ステップＳ８に戻る。
【００４５】
さらに、図３に示すフローチャート中には連載しなかったが、静注開始後に動画記録時間の設定変更が可能となっている。
【００４６】
本実施例においては、動画記録開始後、あらかじめ設定された動画記録時間内で、撮影二段スイッチ２３の一段目を押すことにより、動画記録でなければ図６に示すタイミングチャートのＡに示すように動画記録の開始を行い、動画記録中の場合には、図６に示すタイミングチャートのＢに示すように動画記録の停止を行う。
【００４７】
さらに、撮影二段スイッチ２３の二段目を押した場合には、図６に示すタイミングチャートのＣ，Ｄに示すように静止画記録を行う。但し、動画記録中に撮影二段スイッチ２３の一段目、二段目をほぼ同じタイミングで押した場合には、図６に示すタイミングチャートのＤに示すように、一旦動画記録の停止を行い、静止画記録のみを行い、撮影二段スイッチ２３の二段目が離され、静止画記録が終了した時点で、動画記録を再開する。さらに撮影二段スイッチ２３の一段目、二段目を押し続けている場合には図６に示すタイミングチャートのＤからＥに示すように所定の時間間隔で連続的に静止画記録を行う。
【００４８】
図５に示す制御回路１９の動作を表すフローチャートは、図３に示す制御回路１９の動作を表すフローチャートの変形で、ステップＳ１０で撮影二段スイッチ２３の二段目が押されていないことを検出した場合のみ、ステップＳ１４の動画記録の開始を行うような動作になっている。この時のタイミングチャートを図７に示す。
【００４９】
つまり、動画記録開始後、あらかじめ設定された動画記録時間内で、撮影二段スイッチ２３の一段目だけを押すことにより、図７に示すタイミングチャートのＦに示すように、動画記録中でなければ動画記録の開始を行う。撮影二段スイッチ２３の一段目と二段目をほぼ同時に押した場合には、動画記録中でなければ、図７に示すタイミングチャートのＧに示すように、静止画記録のみを行い、動画記録は開始しない、といった動作をする。
【実施例２】
【００５０】
以下、図４に示す制御回路１９の動作を表すフローチャートを用いて説明する。
【００５１】
本実施例の動作を示すタイミングチャートを図８に示す。
【００５２】
ステップＳ３１でモードスイッチ２４ｂからの入力を検知した制御回路１９は、赤外蛍光撮影モード、第二の動作モードへ遷移する。
【００５３】
ステップＳ３２からステップＳ２７までは、図３に示す第一の実施例における制御回路１９の動作を表すフローチャートのステップＳ２からステップＳ７までの動作と同様なので省略する。但し、本実施例では、第一の実施例に示したステップＳ４での不図示の入力手段で入力された、動画記録の時間を設定するステップは省略されている。
【００５４】
ステップＳ３８で、撮影二段スイッチ２３の一段目が押されたかどうかを判断し、押されていない場合には、再度ステップＳ３８に戻り、撮影二段スイッチ２３の一段目が押されるのを待つ。撮影二段スイッチ２３の一段目が押された場合には、ステップＳ３９へ進み、撮影二段スイッチ２３の二段目が押されたかどうかを検出する。
【００５５】
本実施例においては、動画記録を行う場合には、撮影二段スイッチ２３の一段目を押しつづけている。その時、高精細な静止画記録を行う場合には、撮影者はそのまま、撮影二段スイッチ２３を二段目まで押し込む。ステップＳ３９で制御手段１９が、撮影二段スイッチ２３の二段目まで押し込まれたことを検知すると、ステップＳ４０で増幅回路１６ａの増幅率を、静止画撮影用の固定値に設定し、ステップＳ４１で、動画記録を一旦停止する。ステップＳ４２で撮影用光源１２を発光させる指示をストロボ発光制御回路２５へ出力し、撮像手段７の蓄積開始と同期を取って、第一に実施例と同様に、静止画記録を行う。ステップＳ４２では、フォーカス指標光源３０ａ，３０ｂを消灯する。
【００５６】
さらに、ステップＳ４３へ進み、撮影二段スイッチ２３の二段目が離されたかどうかを検出し、離されていない場合には、ステップＳ４２、ステップＳ４３の動作を１秒間隔で繰り返す。撮影二段スイッチ２３の二段目が離された場合には、ステップＳ４４へ進み、増幅回路１６ａの増幅率をＡＧＣモードに設定し、ステップＳ４５へ進む。
【００５７】
ステップＳ３９で、撮影二段スイッチ２３の二段目が押されていないと判断した場合には、ステップＳ４５へ進む。
【００５８】
ステップＳ４５では、動画記録を開始し、フォーカス指標光源３０ａ，３０ｂを消灯する。動画記録の方法は、第一の実施例と同様である。
【００５９】
さらに、ステップＳ４６へ進み、撮影二段スイッチ２３の一段目が離されたかどうかを検出し、撮影二段スイッチ２３の一段目が離されと判断された場合には、ステップＳ４７で動画記録を停止し、フォーカス指標光源３０ａ，３０ｂを点灯して、ステップＳ３８へ戻る。撮影二段スイッチ２３の一段目が離されていない場合には、ステップＳ３９に戻り、撮影二段スイッチ２３の二段目が離されたかどうかを検出する。
【００６０】
本実施例においては、撮影二段スイッチ２３の一段目を押し続けることにより、図８に示すタイミングチャートのＨからＩに示すように、動画記録を行う。さらに、撮影二段スイッチ２３の二段目を押した場合には、図８に示すタイミングチャートのＪに示すように、静止画記録を行う。また、一段目と二段目が同時に押されつづける場合には、図８に示すタイミングチャートのＫからＬに示すように、動画記録は行われず、撮影用光源１２が、１秒間に一回発光し、一秒間に一枚の高精細静止画像を記録しつづける。
【図面の簡単な説明】
【００６１】
【図１】第１の実施の形態における眼底カメラの構成図である。
【図２】第１の実施の形態における眼底カメラの構成図である。
【図３】第１の実施例における制御回路１９の動作を示すフローチャート図である。
【図４】第２の実施例における制御回路１９の動作を示すフローチャート図である。
【図５】第１の実施例の変形における制御回路１９の動作を示すフローチャート図である。
【図６】第１の実施例の動作を示すタイミングチャート図である。
【図７】第１の実施例の変形の動作を示すタイミングチャート図である。
【図８】第２の実施例の動作を示すタイミングチャート図である。
【符号の説明】
【００６２】
１  対物レンズ
２  孔あきミラー
６  赤外蛍光バリアフィルタ
７  色分解プリズム
８ｒ，８ｇ，８ｂ  撮像素子
１０  赤外受光エキサイタフィルタ
１２  撮影光源
１３  可視光カットフィルタ
１５  観察光源
１６  テレビカメラ制御回路
１７  画像制御回路
１９  制御回路
２０  静止画表示用モニタ
２１  動画表示用モニタ
２２  画像記録デバイス
２３  撮影二段スイッチ
２４  モード選択スイッチ
２５  撮影光源発光制御回路
３１，３２  フィルタ
３３  可視蛍光バリアフィルタ
３４  蛍光観察スイッチ
【図１】
2005095356.tif 000003
【図２】
2005095356.tif 000004
【図３】
2005095356.tif 000005
【図４】
2005095356.tif 000006
【図５】
2005095356.tif 000007
【図６】
2005095356.tif 000008
【図７】
2005095356.tif 000009
【図８】
2005095356.tif 000010